(57)【要約】【課題】移動開始地点と目的地点とを基準とした寄り道可能な範囲において寄り道施設を検索するための装置及びその方法に関する。【解決手段】対象領域内の寄り道施設を検索するための寄り道施設検索方法であって、移動開始地点及び目的地点を指定し、該移動開始地点に関連付けられた情報及び該目的地点に関連付けられた情報の差に基づき、該移動開始地点と該目的地点とを結ぶ直線と略垂直の方向における該対象領域の拡張度合いを可変設定し、該移動開始地点、該目的地点及び該拡張度合いに基づき、該対象領域を設定する。【選択図】図１
2013137238.tif 000002
【特許請求の範囲】
【請求項１】
対象領域内の寄り道施設を検索するための寄り道施設検索装置であって、
移動開始地点及び目的地点を指定する地点指定部と、
前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定部と、
前記移動開始地点、前記目的地点及び前記拡張度合いに基づき、前記対象領域を設定する対象領域設定部と、
を備える寄り道施設検索装置。
【請求項２】
前記情報は位置情報であり、
前記拡張度合い可変設定部は、前記移動開始地点に関連付けられた位置情報及び前記目的地点に関連付けられた位置情報の差に、予め定められた係数を乗じて前記拡張度合いを可変設定する、
請求項１に記載の寄り道施設検索装置。
【請求項３】
前記情報は時刻情報であり、
前記拡張度合い可変設定部は、前記移動開始地点に関連付けられた移動開始時刻情報及び前記目的地点に関連付けられた到着希望時刻情報の差から求められる第１の移動時間に基づき、前記拡張度合いを可変設定する、
請求項１又は２に記載の寄り道施設検索装置。
【請求項４】
前記拡張度合い可変設定部は、前記第１の移動時間から前記寄り道施設での滞在希望時間を減じた第２の移動時間に基づき、前記拡張度合いを可変設定する、
請求項３に記載の寄り道施設検索装置。
【請求項５】
前記対象領域設定部は、前記移動開始地点を基準に、前記目的地点へ向かう進行方向側に前記対象領域を設定する、
請求項１〜４のいずれか一項に記載の寄り道施設検索装置。
【請求項６】
前記対象領域設定部は、前記目的地点を基準に、前記移動開始地点と反対側に前記対象領域を設定する、
請求項１〜５のいずれか一項に記載の寄り道施設検索装置。
【請求項７】
所定時間間隔及び／又は所定距離間隔で前記対象領域設定部に前記対象領域の再設定を指示する再設定指示部、
を備える請求項１〜６のいずれか一項に記載の寄り道施設検索装置。
【請求項８】
対象領域内の寄り道施設を検索するための寄り道施設検索方法であって、
地点指定部が、移動開始地点及び目的地点を指定する地点指定ステップと、
拡張度合い可変設定部が、前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定ステップと、
対象領域設定部が、前記移動開始地点、前記目的地点及び前記拡張度合いに基づき、前記対象領域を設定する対象領域設定ステップと、
を備える寄り道施設検索方法。
【請求項９】
前記情報は位置情報であり、
前記拡張度合い可変設定ステップは、前記移動開始地点に関連付けられた位置情報及び前記目的地点に関連付けられた位置情報の差に、予め定められた係数を乗じて前記拡張度合いを可変設定する、
請求項８に記載の寄り道施設検索方法。
【請求項１０】
前記情報は時刻情報であり、
前記拡張度合い可変設定ステップは、前記移動開始地点に関連付けられた移動開始時刻情報及び前記目的地点に関連付けられた到着希望時刻情報の差から求められる第１の移動時間に基づき、前記拡張度合いを可変設定する、
請求項８又は９に記載の寄り道施設検索方法。
【請求項１１】
前記拡張度合い可変設定ステップは、前記第１の移動時間から前記寄り道施設での滞在希望時間を減じた第２の移動時間に基づき、前記拡張度合いを可変設定する、
請求項１０に記載の寄り道施設検索方法。
【請求項１２】
前記対象領域設定ステップは、前記移動開始地点を基準に、前記目的地点へ向かう進行方向側に前記対象領域を設定する、
請求項８〜１１のいずれか一項に記載の寄り道施設検索方法。
【請求項１３】
前記対象領域設定ステップは、前記目的地点を基準に、前記移動開始地点と反対側に前記対象領域を設定する、
請求項８〜１２のいずれか一項に記載の寄り道施設検索方法。
【請求項１４】
再設定指示部が、所定時間間隔及び／又は所定距離間隔で前記対象領域設定ステップの前記対象領域の再設定を指示する再設定指示ステップ、
を備える請求項８〜１３のいずれか一項に記載の寄り道施設検索方法。
【請求項１５】
対象領域内の寄り道施設を検索するためのコンピュータプログラムであって。コンピュータを、
移動開始地点及び目的地点を指定する地点指定手段と、
前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定手段と、
前記移動開始地点、前記目的地点及び前記拡張度合いに基づき、前記対象領域を設定する対象領域設定手段、
として機能させるコンピュータプログラム。
【請求項１６】
前記情報は位置情報であり、
前記拡張度合い可変設定手段は、前記移動開始地点に関連付けられた位置情報及び前記目的地点に関連付けられた位置情報の差に、予め定められた係数を乗じて前記拡張度合いを可変設定する、
請求項１５に記載のコンピュータプログラム。
【請求項１７】
前記情報は時刻情報であり、
前記拡張度合い可変設定手段は、前記移動開始地点に関連付けられた移動開始時刻情報及び前記目的地点に関連付けられた到着希望時刻情報の差から求められる第１の移動時間に基づき、前記拡張度合いを可変設定する、
請求項１５又は１６に記載のコンピュータプログラム。
【請求項１８】
前記拡張度合い可変設定手段は、前記第１の移動時間から前記寄り道施設での滞在希望時間を減じた第２の移動時間に基づき、前記拡張度合いを可変設定する、
請求項１７に記載のコンピュータプログラム。
【請求項１９】
前記対象領域設定手段は、前記移動開始地点を基準に、前記目的地点へ向かう進行方向側に前記対象領域を設定する、
請求項１５〜１８のいずれか一項に記載のコンピュータプログラム。
【請求項２０】
前記対象領域設定手段は、前記目的地点を基準に、前記移動開始地点と反対側に前記対象領域を設定する、
請求項１５〜１９のいずれか一項に記載のコンピュータプログラム。
【請求項２１】
前記コンピュータを、更に、
所定時間間隔及び／又は所定距離間隔で前記対象領域設定手段に前記対象領域の再設定を指示する再設定指示手段、
として機能させる請求項１５〜２０のいずれか一項に記載のコンピュータプログラム。
【請求項２２】
請求項１５〜２１のいずれか一項に記載のコンピュータプログラムを記録する記録媒体。
【発明の詳細な説明】
【技術分野】
【０００１】
本発明は、移動開始地点と目的地点とを基準とした寄り道可能な範囲において寄り道施設を検索するための装置及びその方法に関する。
【背景技術】
【０００２】
近年、スマートフォン等の移動体端末装置の普及と相まって、当該装置を用いた周辺施設の検索も広く行われるようになってきている。
従来の周辺施設検索においては、現在地を中心に所定距離内に位置する施設や、現在地から目的地までの経路における経路沿いの施設が周辺施設として検索される例が挙げられる。
このような技術として特許文献１では、現在位置を中心とした所定距離範囲から施設を検索する周辺施設検索手段と、現在位置から目的地までのルート沿いの所定距離範囲から施設を検索するルート周辺施設検索手段とを備えた周辺施設検索装置が提案されている。
本件発明に関連する従来技術を開示する特許文献２〜４も参照されたい。
【先行技術文献】
【特許文献】
【０００３】
【特許文献１】特開２００５−３２１２２４号公報
【特許文献２】特開２０１１−１７４７５２号公報
【特許文献３】特開２０１０−０６０３２５号公報
【特許文献４】特開２００２−３４０５８２号公報
【発明の概要】
【発明が解決しようとする課題】
【０００４】
上記背景技術に鑑み、本発明者は、現在位置から目的地まで移動するユーザが寄り道可能な周辺施設を、より的確に検索すべく鋭意検討を重ねてきた。その結果、目的地までの距離や目的地への到達希望時間を考慮すれば、ユーザが寄り道可能な施設はルート沿いの所定範囲に存在する施設に限られないことに気がついた。
【課題を解決するための手段】
【０００５】
この発明は上述の課題に鑑みてなされたものであり、その目的は、移動開始地点に関連付けられた情報及び目的地点に関連付けられた情報に基づいて、より的確に寄り道可能な施設を検索できる技術を提供することにある。
即ち、この発明の第１の局面は次のように規定される。
対象領域内の寄り道施設を検索するための寄り道施設検索装置であって、
移動開始地点及び目的地点を指定する地点指定部と、
前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定部と、
前記移動開始地点、前記目的地点及び前記拡張度合いに基づき、前記対象領域を設定する対象領域設定部と、
を備える寄り道施設検索装置。
【０００６】
このように規定される第１の局面の寄り道施設検索装置によれば、寄り道施設を検索する範囲としての対象領域は、指定された移動開始地点及び指定された目的地点に加えて、当該両地点に関連付けられた情報の差によって可変設定される拡張度合いに基づき設定される。したがって、ユーザの移動開始地点及び目的地点を考慮した、より的確な範囲における寄り道可能施設を検索することができる。すなわち、目的地へ向かって移動するユーザにとって、遠回りの感覚が大きくない範囲での寄り道施設を検索することが可能となる。
上記対象領域とは、移動開始地点と目的地点とに基づいて設定される領域であり、上記寄り道施設の検索対象となる領域である。
また、移動開始地点としては、ユーザが移動を開始する地点であり、ユーザにより指定された任意の地点であっても良いし、現在地点であっても良い。
拡張度合いとは、移動開始地点と目的地点とを結ぶ直線と略垂直の方向における対象領域の拡張度合いをいい、例えば、移動開始地点と目的地点とを結ぶ直線に対する略垂直方向の幅とすることとできる。ここで、略垂直の方向とは、移動開始地点と目的地点とを結ぶ直線から平面上略垂直の方向をいう。
【０００７】
前記情報は位置情報とすることとでき、この場合、前記拡張度合い可変設定部は、前記移動開始地点に関連付けられた位置情報及び前記目的地点に関連付けられた位置情報の差に、予め定められた係数を乗じて前記拡張度合いを可変設定する（第２の局面）。このように拡張度合いを可変設定すれば、移動開始地点と目的地点との位置情報の差、すなわち、移動開始地点と目的地点との距離に応じて拡張度合いが設定される。したがって、移動開始地点と目的地点との距離が長ければ、寄り道施設が比較的広範囲に位置していても遠回りと感じにくい一方、目的地点までの距離が短くなれば、距離が長いときと比べて広範囲での寄り道を望みにくいというユーザの感覚を反映させた対象領域の設定が可能となる。
【０００８】
また、前記情報は時刻情報とすることとでき、この場合、前記拡張度合い可変設定部は、前記移動開始地点に関連付けられた移動開始時刻情報及び前記目的地点に関連付けられた到着希望時刻情報の差から求められる第１の移動時間に基づき、前記拡張度合いを可変設定する（第３の局面）。このように拡張度合いを可変設定すれば、移動開始地点と目的地点との時刻情報の差、すなわち、目的地までの移動に費やすことができる移動希望時間に応じて拡張度合いが設定される。したがって、移動希望時間が長ければ、寄り道施設が比較的広範囲に位置していても寄り道可能であるが、移動希望時間が短ければ、寄り道可能な範囲も狭くなるというユーザの状況を反映させた対象領域の設定が可能となる。
このとき、前記拡張度合い可変設定部は、前記第１の移動時間から前記寄り道施設での滞在希望時間を減じた第２の移動時間に基づき、前記拡張度合いを可変設定することとできる（第４の局面）。このように拡張度合いを可変設定することで、寄り道施設での滞在希望時間を考慮した対象領域の設定が可能となる。
【０００９】
上記対象領域は、前記移動開始地点を基準に、前記目的地点へ向かう進行方向側に設定することとできる（第５の局面）。このように対象領域を設定することで、移動開始地点から目的地点への移動を目的とするユーザが、進行方向を後退することのないよう的確に寄り道施設を検索することが可能となる。また、この対象領域は、前記目的地点を基準に、前記移動開始地点と反対側に設定することとできる（第６の局面）。
【００１０】
この発明の第７の局面は次のように規定される。即ち、
第１〜第６のいずれかの局面に規定の寄り道施設検索装置において、所定時間間隔及び／又は所定距離間隔で前記対象領域設定部に前記対象領域の再設定を指示する再設定指示部、を備える。
このように規定される第７の局面の寄り道施設検索装置によれば、所定時間間隔及び／又は所定距離間隔で対象領域の設定を行う。したがって、ユーザの移動に伴って変化する現在位置、現在時刻を反映させた対象領域の設定が可能となる。
【００１１】
また、この発明の第８の局面は次のように規定される。即ち、
対象領域内の寄り道施設を検索するための寄り道施設検索方法であって、
地点指定部が、移動開始地点及び目的地点を指定する地点指定ステップと、
拡張度合い可変設定部が、前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定ステップと、
対象領域設定部が、前記移動開始地点、前記目的地点及び前記拡張度合いに基づき、前記対象領域を設定する対象領域設定ステップと、
を備える寄り道施設検索方法。
このように規定される第８の局面の発明によれば、第１の局面と同等の効果を奏する。
【００１２】
この発明の第９の局面は次のように規定される。即ち、
第８の局面に規定の方法において、前記情報は位置情報であり、
前記拡張度合い可変設定ステップは、前記移動開始地点に関連付けられた位置情報及び前記目的地点に関連付けられた位置情報の差に、予め定められた係数を乗じて前記拡張度合いを可変設定する。
このように規定される第９の局面の発明によれば、第２の局面と同等の効果を奏する。
【００１３】
この発明の第１０の局面は次のように規定される。即ち、
第８又は第９の局面に規定の方法において、前記情報は時刻情報であり、
前記拡張度合い可変設定ステップは、前記移動開始地点に関連付けられた移動開始時刻情報及び前記目的地点に関連付けられた到着希望時刻情報の差から求められる第１の移動時間に基づき、前記拡張度合いを可変設定する。
このように規定される第１０の局面の発明によれば、第３の局面と同等の効果を奏する。
【００１４】
この発明の第１１の局面は次のように規定される。即ち、
第１０の局面に規定の方法において、前記拡張度合い可変設定ステップは、前記第１の移動時間から前記寄り道施設での滞在希望時間を減じた第２の移動時間に基づき、前記拡張度合いを可変設定する。
このように規定される第１１の局面の発明によれば、第４の局面と同等の効果を奏する。
【００１５】
この発明の第１２の局面は次のように規定される。即ち、
第８〜第１１のいずれかの局面に規定の方法において、前記対象領域設定ステップは、前記移動開始地点を基準に、前記目的地点へ向かう進行方向側に前記対象領域を設定する。
このように規定される第１２の局面の発明によれば、第５の局面と同等の効果を奏する。
【００１６】
この発明の第１３の局面は次のように規定される。即ち、
第８〜第１２のいずれかの局面に規定の方法において、前記対象領域設定ステップは、前記目的地点を基準に、前記移動開始地点と反対側に前記対象領域を設定する。
このように規定される第１３の局面の発明によれば、第６の局面と同等の効果を奏する。
【００１７】
この発明の第１４の局面は次のように規定される。即ち、
第８〜第１３のいずれかの局面に規定の方法において、再設定指示部が、所定時間間隔及び／又は所定距離間隔で前記対象領域設定ステップの前記対象領域の再設定を指示する再設定指示ステップ、を備える。
このように規定される第１４の局面の発明によれば、第７の局面と同等の効果を奏する。
【００１８】
更に、この発明の第１５の局面は次のように規定される。即ち、
対象領域内の寄り道施設を検索するためのコンピュータプログラムであって、コンピュータを、
移動開始地点及び目的地点を指定する地点指定手段と、
前記移動開始地点に関連付けられた情報及び前記目的地点に関連付けられた情報の差に基づき、該移動開始地点と該目的地点とを結ぶ直線と略垂直の方向における前記対象領域の拡張度合いを可変設定する拡張度合い可変設定手段と、
前記移動開始地点、前記目的地点及び前記拡張度合いに基づき、前記対象領域を設定する対象領域設定手段、
として機能させるコンピュータプログラム。
このように規定される第１５の局面の発明によれば、第１の局面と同等の効果を奏する。
【００１９】
この発明の第１６の局面は次のように規定される。即ち、
第１５の局面に規定のコンピュータプログラムにおいて、前記情報は位置情報であり、
前記拡張度合い可変設定手段は、前記移動開始地点に関連付けられた位置情報及び前記目的地点に関連付けられた位置情報の差に、予め定められた係数を乗じて前記拡張度合いを可変設定する。
このように規定される第１６の局面の発明によれば、第２の局面と同等の効果を奏する。
【００２０】
この発明の第１７の局面は次のように規定される。即ち、
第１５又は第１６の局面に規定のコンピュータプログラムにおいて、前記情報は時刻情報であり、
前記拡張度合い可変設定手段は、前記移動開始地点に関連付けられた移動開始時刻情報及び前記目的地点に関連付けられた到着希望時刻情報の差から求められる第１の移動時間に基づき、前記拡張度合いを可変設定する。
このように規定される第１７の局面の発明によれば、第３の局面と同等の効果を奏する。
【００２１】
この発明の第１８の局面は次のように規定される。即ち、
第１７の局面に規定のコンピュータプログラムにおいて、前記拡張度合い可変設定手段は、前記第１の移動時間から前記寄り道施設での滞在希望時間を減じた第２の移動時間に基づき、前記拡張度合いを可変設定する。
このように規定される第１８の局面の発明によれば、第４の局面と同等の効果を奏する。
【００２２】
この発明の第１９の局面は次のように規定される。即ち、
第１５〜第１８のいずれかの局面に規定のコンピュータプログラムにおいて、前記対象領域設定手段は、前記移動開始地点を基準に、前記目的地点へ向かう進行方向側に前記対象領域を設定する。
このように規定される第１９の局面の発明によれば、第５の局面と同等の効果を奏する。
【００２３】
この発明の第２０の局面は次のように規定される。即ち、
第１５〜第１９のいずれかの局面に規定のコンピュータプログラムにおいて、前記対象領域設定手段は、前記目的地点を基準に、前記移動開始地点と反対側に前記対象領域を設定する。
このように規定される第２０の局面の発明によれば、第６の局面と同等の効果を奏する。
【００２４】
この発明の第２１の局面は次のように規定される。即ち、
前記コンピュータを、更に、
第１５〜第２０のいずれかの局面に規定のコンピュータプログラムにおいて、所定時間間隔及び／又は所定距離間隔で前記対象領域設定手段に前記対象領域の再設定を指示する再設定指示手段。
このように規定される第２１の局面の発明によれば、第７の局面と同等の効果を奏する。
【００２５】
第１５〜第２１のいずれかの局面に規定されるコンピュータプログラムを記録する記録媒体が第２２の局面として規定される。
【図面の簡単な説明】
【００２６】
【図１】本発明の実施の形態の寄り道施設検索装置１の構成を示すブロック図である。
【図２】（Ａ）は対象領域設定部１１の対象領域設定方法を説明する模式図であり、（Ｂ）は他の対象領域設定方法を説明する模式図であり、（Ｃ）は施設データ検索部１３の検索方法を説明する模式図である。
【図３】本発明の実施の形態の寄り道施設検索装置１の動作を示すフローチャートである。
【図４】本発明の他の実施の形態の寄り道施設検索装置２１の構成を示すブロック図である。
【図５】（Ａ）は対象領域設定部１１の対象領域設定方法を説明する模式図であり、（Ｂ）は他の対象領域設定方法を説明する模式図である。
【図６】本発明の他の実施の形態の寄り道施設検索装置３１の構成を示すブロック図である。
【図７】本発明の実施例の寄り道施設検索装置４１の構成を示すブロック図である。
【図８】（Ａ）は対象領域設定部１１の対象領域設定方法を説明する模式図であり、（Ｂ）（Ｃ）は所定時間経過後における対象領域設定部１１の対象領域設定方法を説明する模式図である。
【発明を実施するための形態】
【００２７】
この発明の実施の形態の寄り道施設検索装置を説明する。
図１に、寄り道施設検索装置１の概略構成の一例を示す。適宜、図２に示す模式図を用いて、以下に説明する。
図１に示すのは、移動開始地点と目的地点とから形成される直線距離に基づいて施設検索範囲となる対象領域を設定可能な寄り道施設検索装置１である。すなわち、この装置１は、地図データ保存部３、施設データ保存部５、地点指定部７、拡張度合い可変設定部９、対象領域設定部１１及び施設データ検索部１３を備えている。
地図データ保存部３には地図情報が保存される。地図情報にはリンクやノードなど地図情報を規定するための道路要素に関する情報と地図に描画される情報等が含まれる。
施設データ保存部５には施設データが保存される。施設としては、例えば、レストラン、食堂等の飲食店やカラオケ、映画館等の娯楽施設等が挙げられる。施設データとは、当該施設に関する情報であって、当該施設の名称と当該施設の位置情報を含むデータである。当該施設データは各施設毎に当該データを有している。当該施設データは、他にも、業務別分類や電話番号等の情報を有していても良い。
【００２８】
地点指定部７は、移動開始地点を指定する第１の地点指定部７１及び目的地点を指定する第２の地点指定部７３を備える。当該地点の指定は、例えば、ディスプレイ上に表示された地図上をユーザが指等で接触することにより行うこととできる。また、他の例としては、地名や電話番号を直接入力したり、予め登録された施設を選択して入力しても良い。具体的には、移動開始地点として「栄」、目的地点として「伏見」のように、地名をフリーワードにより検索して、夫々第１の地点、第２の地点を指定することとできる。同様に、施設をフリーワードにより検索して、夫々の地点を指定することもできる。移動開始地点としては、ユーザが移動開始を予定する地点としても良く、現在地点としても良い。ユーザの現在位置を検出するＧＰＳ（Ｇｌｏｂａｌ Ｐｏｓｉｔｉｏｎｉｎｇ Ｓｙｓｔｅｍ）を備えていれば、移動開始地点として現在地点を指定可能である。例えば、移動開始地点としての地点Ｘと、目的地点としての地点Ｙとが指定される（図２（Ａ）参照）。
【００２９】
拡張度合い可変設定部９は、第１の移動距離演算部９１及び第１の設定部９３を備え、移動開始地点に関連付けられた情報及び前記目的地点に関連付けられた情報の差に基づき、該移動開始地点と該目的地点とを結ぶ直線と略垂直の方向における対象領域の拡張度合いを可変設定する。この装置１において、拡張度合い可変設定部９は、第１の地点指定部７１で指定された移動開始地点の位置情報及び第２の地点指定部７３で指定された目的地点の位置情報の差に、予め定められた係数を乗じて前記拡張度合いを可変設定する。
第１の移動距離演算部９１は、地点指定部７を参照して、移動開始地点と目的地点との間の距離を第１の移動距離Ｌ（同、参照）として演算する。
第１の設定部９３は、第１の移動距離演算部９１で演算された第１の移動距離に基づいて第１の拡張度合いを設定する。当該設定の方法は、特に限定されないが、例えば、第１の移動距離に予め定められた係数を乗じて設定することとできる。予め定められた係数は、一定の数値（例えば、０．２等）であっても良く、また、距離に応じて定められた数値（移動距離５００ｍのとき係数０．２等であっても良い。例えば、第１の拡張度合いＭ１が設定される（同、参照）。
【００３０】
対象領域設定部１１は、地点指定部７で指定された移動開始地点及び目的地点と、拡張度合い可変設定部９で設定された第１の拡張度合いとに基づき、対象領域を設定する。当該設定の方法は、特に限定されないが、例えば、移動開始地点を基準に、目的地点へ向かう進行方向側に対象領域を設定することが好ましい。このような対象領域として、例えば、第１の移動距離Ｌと第１の拡張度合いＭ１とから形成される長方形の領域Ａ１（同、参照）とすることとできる。また、領域Ａ１内に接するように形成される領域Ａ２（図２（Ｂ）参照）としても良い。
施設データ検索部１３は、施設データ保存部５を参照して、対象領域設定部１１で設定された対象領域Ａ１に位置情報を有する施設を検索する。当該検索の方法は、特に限定されないが、対象領域内に位置情報を有する施設の全てを検索しても良いし、ユーザによって予め業務別分類が指定されている場合には当該指定された業務別分類に該当する施設を検索することとしても良い。また、ユーザによって予め移動の時間帯が指定されている場合には当該指定された時間帯に営業している施設を検索することとできる。当該検索された寄り道施設Ｆ１〜Ｆ５（図２（Ｃ）参照）は、後述するディスプレイ等の出力部を介してユーザに出力される。
【００３１】
図３を用いて、図１に示す寄り道施設検索装置１の動作の一例を説明する。
まず、ステップ１では、地点指定部７は、地図データ保存部３を参照して、移動開始地点Ｘ及び目的地点Ｙを夫々指定する。
ステップ３では、第１の移動距離演算部９１は、ステップ１で指定された移動開始地点Ｘと目的地点Ｙとの間の距離として第１の移動距離Ｌを演算する。
ステップ５では、第１の設定部９３は、第１の移動距離Ｌに予め定められた係数（例えば、０．２）を乗じて、第１の拡張度合いＭ１を設定する。例えば、第１の移動距離Ｌが５００ｍのとき、第１の拡張度合いＭ１は１００ｍと設定される。
ステップ７では、対象領域設定部１１は、ステップ３で演算された第１の移動距離Ｌとステップ５で設定された第１の拡張度合いＭ１とから形成される長方形の領域Ａ１を対象領域として設定する。
ステップ９では、施設データ検索部１３は、施設データ保存部５を参照して、ステップ７で設定された対象領域Ａ１に位置情報を有する施設Ｆ１〜Ｆ５を検索し、出力する。
【００３２】
図４に、他の実施の形態の寄り道施設検索装置２１を示す。図４において、図１と同一の要素には同一の符号を付して、その説明を部分的に省略する。
図４に示すのは、移動開始時刻と到達希望時刻とから算出される移動時間に基づいて施設検索範囲となる対象領域を設定可能な寄り道施設検索装置２１である。すなわち、この装置２１は、図１に示す装置１において、時刻指定部２３を更に備え、拡張度合い可変設定部９に代えて拡張度合い可変設定部２５を備えている。
時刻指定部２３は、移動開始時刻を指定する第１の時刻指定部２３１及び到着希望時刻を指定する第２の時刻指定部２３３を備える。当該移動開始時刻及び到着希望時刻は夫々移動開始地点及び目的地点に関連付けられている。当該時刻の指定は、例えば、後述する入力部を介してユーザの任意に指定することとできる。移動開始地点が現在地点の場合、上記ＧＰＳが現在位置と併せて取得した現在時刻を移動開始時刻として指定することとできる。また、他の例として、到達希望時刻に代えて、「○時間後」のように到達希望所要時間を指定することとしても良い。例えば、図５（Ａ）に示すように、地点Ｘにおける移動開始時刻を１０：００、地点Ｙにおける到達希望時刻を１２：００と指定することができる。
【００３３】
拡張度合い可変設定部２５は、第１の移動時間演算部２５１及び第２の設定部２５３を備え、移動開始地点に関連付けられた移動開始時刻情報及び目的地点に関連付けられた到着希望時刻情報の差から求められる第１の移動時間に基づき、拡張度合いを可変設定する。
第１の移動時間演算部２５１は、時刻指定部２３を参照して、移動開始時刻と到着希望時刻との間の時間を第１の移動時間Ｈ１として演算する。図５（Ａ）の例では、第１の移動時間Ｈ１は１２０分間と演算される。
第２の設定部２５３は、第１の移動時間演算部２５１で演算された第１の移動時間に基づいて第２の拡張度合いを設定する。当該設定の方法は、特に限定されないが、例えば、予め定められた移動速度に基づき、１２０分間の移動時間内に、移動開始地点Ｘから寄り道地点Ｚを経由して目的地点Ｙに到達可能な寄り道地点Ｚを特定し、地点Ｚから地点Ｘ−Ｙを結ぶ直線までの垂線の距離を演算する。当該垂線の距離を２倍した値が第２の拡張度合い（図５（Ａ）においてＭ２〜Ｍ６）として設定される。
【００３４】
この装置２１において、対象領域設定部１１は、地点指定部７で指定された移動開始地点及び目的地点と、拡張度合い設定部２５で設定された第２の拡張度合いとに基づき、対象領域を設定する。当該設定の方法は、特に限定されないが、例えば、上記設定された拡張度合いの端点を繋いで形成される領域Ａ３（同、参照）を対象領域とすることとできる。また、領域Ａ３の内、移動開始地点から目的地点までの進行方向側に形成される領域Ａ４（図５（Ｂ）参照）を対象領域とすることとできる。更には、領域Ａ５（同、参照）に示すように、領域Ａ３の内、目的地点を基準に移動開始地点と反対側に形成された領域を含むよう、対象領域を設定することとしても良い。
なお、上記装置１と当該装置２１とを組み合わせ、移動開始地点及び目的地点間の移動距離と移動時間との両方を考慮して対象領域を設定する寄り道施設検索装置とすることも可能である。
【００３５】
図６に、他の実施の形態の寄り道施設検索装置３１を示す。図６において、図１及び図４と同一の要素には同一の符号を付して、その説明を部分的に省略する。
図６に示すのは、寄り道施設での滞在希望時間を考慮した寄り道施設検索装置３１である。すなわち、この装置３１は、図４に示す装置２１において、滞在希望時間指定部３３を更に備えている。
滞在希望時間指定部３３は、後述する入力部を介してユーザの任意に指定することができる。
拡張度合い可変設定部３５は、第２の移動時間演算部３５１及び第３の設定部３５３を備え、移動開始地点に関連付けられた移動開始時刻情報及び目的地点に関連付けられた到着希望時刻情報の差から、滞在希望時間を減じて求められる第２の移動時間に基づき、拡張度合いを可変設定する。
第２の移動時間演算部３５１は、時刻指定部２３及び滞在希望時間指定部３３を参照して、移動開始時刻と到着希望時刻との間の時間から、滞在希望時間を減じた時間を第２の移動時間Ｈ２として演算する。
第３の設定部３５３は、第２の移動時間演算部３５１で演算された第２の移動時間に基づいて第３の拡張度合いを設定する。当該設定の方法は、第２の設定部２５３と同様の方法で行うこととできる。
【００３６】
図７は、この発明の実施例の寄り道施設検索装置４１のブロック図である。図７において、図１、図４及び図６と同一の要素には同一の符号を付して、その説明を部分的に省略する。
図７に示すのは、所定時間間隔で対象領域を再設定可能な寄り道施設検索装置４１である。すなわち、当該装置４１は、図４に示す装置２１において、制御部４１０、メモリ部４１１、入力部４１２、出力部４１３、インターフェース部４１４、現在位置特定部４１５及び再設定指示部４３を更に備えている。
制御部４１０はＣＰＵ、バッファメモリその他の装置を備えたコンピュータ装置であり、寄り道施設検索装置４１を構成する他の要素を制御する。
メモリ部４１１にはコンピュータプログラムが保存され、このコンピュータプログラムはコンピュータ装置である制御部４１０に読み込まれて、これを機能させる。このコンピュータプログラムは、端末装置又は移動体端末装置の記憶装置としての内蔵ハードディスク又は内蔵メモリ、端末装置又は移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
【００３７】
入力部４１２は、例えば、ユーザの指令の入力に用いられる。具体的には、移動開始地点や目的地点、移動開始時刻や到達希望時刻の指定の他、滞在希望時間の指定に用いられる。入力部４１２として、マウス、ライトペン又はディスプレイの表示内容と協働するタッチパネル等のポインティングデバイスやキーボード又はマイクロホン等の音声入力装置を用いることができる。
出力部４１３はディスプレイを含み、入力画面や、地図データ保存部３に保存された地図データ、施設データ検索部１３で検索された検索結果、その他の情報を表示する。また、移動開始地点から寄り道施設までの経路、寄り道施設から目的地点までの経路を表示することができる。この出力部４１３は音声発信部を含むこともできる。
インターフェース部４１４は寄り道施設検索装置４１を無線ネットワーク等へ連結させる。
現在位置特定部４１５は、ＧＰＳ受信機能等により移動体端末装置の現在の位置情報と時刻情報とを特定する。当該位置情報及び時刻情報は、ユーザ自身が位置登録することにより、あるいは、自動的に（例えば、５分間隔等）特定される。
再設定指示部４３は、所定時間間隔ごとに対象領域設定部１１に対して対象領域の再設定を行うよう指示する。他の例としては、再設定指示部４３は、所定時間間隔ごとの再設定に代えて、あるいは当該再設定と併せて、所定距離間隔ごとの再設定を行うよう指示することとできる。
【００３８】
図８に示す模式図を用いて、上記寄り道施設検索装置４１を搭載した移動体端末装置を用いた寄り道施設の検索方法を説明する。
まず、現在位置特定部４１５により特定された位置情報及び時刻情報に基づいて、地点指定部７は移動開始地点としての現在位置Ｘを指定し、時刻指定部２３は移動開始時刻としての現在時刻１０：００を指定する（図８（Ａ）参照）。また、入力部４１２を介した入力に基づいて、地点指定部７は目的地点としての地点Ｙを指定し、時刻指定部２３は到達希望時刻としての時刻１２：００を指定する。
この例において、対象領域設定部１１は、例えば、上述した図５（Ｂ）に示す領域Ａ５を対象領域として設定する。
施設データ検索部１３は、施設データ保存部５を参照して、当該対象領域Ａ５内に位置情報を有する寄り道施設Ｆ１〜Ｆ８を検索し、地図データと共にディスプレイに表示する。
【００３９】
図８（Ｂ）に、２０分経過後の現在時刻１０：２０における対象領域Ａ６を示す。
上記と同様にして、現在位置特定部４１５で特定された位置Ｏ１及び時刻１０：２０を、夫々現在位置及び現在時刻として指定する（図８（Ｂ）参照）。対象領域設定部１１は、上述の設定方法に基づいて、領域Ａ６を対象領域として設定する。
施設データ検索部１３は、施設データ保存部５を参照して、当該対象領域Ａ６内に位置情報を有する寄り道施設Ｆ１〜Ｆ３、Ｆ５、Ｆ７を検索し、当該検索結果を表示する。
図８（Ｃ）は、寄り道施設Ｆ１に寄り道後の現在時刻１１：００における対象領域Ａ７を示す。
上記と同様にして、現在位置特定部４１５で特定された位置Ｏ２及び時刻１１：００を、夫々現在位置及び現在時刻として指定する（図８（Ｃ）参照）。対象領域設定部１１は、上述の設定方法に基づいて、領域Ａ７を対象領域として設定する。
この場合、対象領域Ａ７内に位置情報を有する寄り道施設Ｆ２、Ｆ３、Ｆ５が検索され、表示される。
【００４０】
以上、本発明の実施の形態について説明してきたが、これらのうち、２つ以上の実施の形態を組み合わせて実施しても構わない。あるいは、これらのうち、１つの実施の形態を部分的に実施しても構わない。さらには、これらのうち、２つ以上の実施の形態を部分的に組み合わせて実施しても構わない。
【００４１】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４２】
１  ２１  ３１  ４１  寄り道施設検索装置
３  地図データ保存部
５  施設データ保存部
７  地点指定部
９  ２５  ３５  拡張度合い可変設定部
１１対象領域設定部
１３  施設データ検索部
２３  時刻指定部
３３  滞在希望時間指定部
４３  再設定指示部
【図１】
2013137238.tif 000003
【図２】
2013137238.tif 000004
【図３】
2013137238.tif 000005
【図４】
2013137238.tif 000006
【図５】
2013137238.tif 000007
【図６】
2013137238.tif 000008
【図７】
2013137238.tif 000009
【図８】
2013137238.tif 000010